(57)【要約】 【課題】  印刷しやすく簡便に封書化できる封書式シートを提供することにある。【解決手段】  封書を作成するには、まず、プリンタ等を使用して、受取人の宛名および記載内容を印刷する。次に、フラップ部を起こし、裏面側の粘着層を露出させる。そして、第３の帳票片を折り線から谷折りし、第２の帳票片に重ね合わせる。この状態でフラップ部をたたみ、第２の帳票片の先端縁に貼り付ける。これにより、第２の帳票片および第３の帳票片が筒状に閉じられる。次いで、剥離シートにおける除去可能部を除去して粘着層を露出させる。そして、第２の帳票片を、折り線から山折りし、第１の帳票片に貼り合わせるとともに、対向する封着片どうしを貼り合わせる。これにより、第２の帳票片と第３の帳票片とで形成される筒の両端が塞がれ、封書が完成する。【選択図】  図１
2005193574.tif 000002
【特許請求の範囲】
【請求項１】
表裏両面のうち一面側に宛先記載部を有する第１の帳票片と、情報記載部を有する第２、第３の帳票片とが折り線を介して順次連接されたベースシートを備え、前記折り線に沿って折り返されて周縁部を接着することで封書化される封書式シートであって、
前記ベースシートの他面側に形成された粘着層と、この粘着層に積層された剥離シートとを備えるとともに、
前記ベースシートにおいて第２の帳票片には、前記第１の帳票片側の端縁位置に、その他の部分から区切られるとともに第１の帳票片と連続した状態で前記剥離シートから剥離され、前記第３の帳票片が前記折り線から谷折りされたときにこの第３の帳票片を押さえるフラップ部が設けられ、
かつ、前記第１の帳票片および第３の帳票片には、それぞれ前記折り線と交差する両側縁に封着片が張り出し形成されるとともに、前記剥離シートにおいて前記第１の帳票片に設けられた封着片に対応する位置に、他とは切り離して除去可能な第１の除去可能部が設けられ、前記封書式シートが三つ折りされたときに、前記第１の除去可能部を除去することによって露出される前記粘着層によって対向する前記封着片同士が接着されることを特徴とする封書式シート。
【請求項２】
前記第１の帳票片と前記第２の帳票片とを仕切る折り線に沿って、前記フラップ部を切り取る第１のミシン目が設けられ、
前記第１の帳票片および前記第３の帳票片における前記両側縁には、前記封着片を切り取る第２のミシン目が設けられていることを特徴とする請求項１に記載の封書式シート。
【請求項３】
前記フラップ部が前記第１の帳票片側の端縁の全幅に渡って設けられているとともに、前記封着片が前記両側縁の全幅に渡って設けられていることを特徴とする請求項１または請求項２に記載の封書式シート。
【請求項４】
前記剥離シートにおいて前記第１の帳票片に対応する位置には、前記折り線側の端縁を残してほぼ全域を除去可能な第２の除去可能部が設けられ、前記第１の帳票片が前記折り線から山折りされたときに、前記第２の除去可能部を除去することによって露出される前記粘着層によって前記第１の帳票片と対向する前記第２の帳票片とがほぼ全面に渡って接着されることを特徴とする請求項１〜請求項３のいずれかに記載の封書式シート。
【発明の詳細な説明】
【技術分野】
【０００１】
本発明は、封書式シートに関する。
【背景技術】
【０００２】
従来、伝票や種々の通知書など第三者から秘匿すべき書類を印刷して郵送する際には、印刷物を別に用意した封筒に入れて発送するのが通常である。しかし、このような方法では、封筒代金や、印刷物を封筒に詰めて宛名を書く作業等が必要であり、手間とコストがかかってしまう。
【０００３】
そこで、一枚の基材からなり、宛名等の必要事項を印字した後に折り畳まれて封止されることで、郵送可能な封書となるメールフォームが考案されている。（例えば特許文献１参照）。このメールフォームは、基材表面の所定位置に粘着剤層が設けられており、折り畳まれた後に、この粘着剤層により周縁部が封止されて封書とされる。
【特許文献１】特開平５−１５５１８５号公報
【発明の開示】
【発明が解決しようとする課題】
【０００４】
ところが、この種のメールフォームは、プリンタ等で印字される際に紙詰まりを起こしやすいという問題点があった。すなわち、メールフォームは、プリンタ等で印字される際、給紙トレイ等に多数枚セットされ、１枚ずつ給紙される。このとき、給紙されるメールフォームが、これと重ねられて給紙トレイに残っているメールフォームの粘着剤層に引っかかるなどしてうまく給紙されず、紙詰まりを起こす場合があった。
【０００５】
本発明は、上記した事情に鑑みてなされたものであり、その目的は、印刷しやすく簡便に封書化できる封書式シートを提供することにある。
【課題を解決するための手段】
【０００６】
上記の課題を解決するために請求項１の発明に係る封書式シートは、表裏両面のうち一面側に宛先記載部を有する第１の帳票片と、情報記載部を有する第２、第３の帳票片とが折り線を介して順次連接されたベースシートを備え、前記折り線に沿って折り返されて周縁部を接着することで封書化される封書式シートであって、前記ベースシートの他面側に形成された粘着層と、この粘着層に積層された剥離シートとを備えるとともに、前記ベースシートにおいて第２の帳票片には、前記第１の帳票片側の端縁位置に、その他の部分から区切られるとともに第１の帳票片と連続した状態で前記剥離シートから剥離され、前記第３の帳票片が前記折り線から谷折りされたときにこの第３の帳票片を押さえるフラップ部が設けられ、かつ、前記第１の帳票片および第３の帳票片には、それぞれ前記折り線と交差する両側縁に封着片が張り出し形成されるとともに、前記剥離シートにおいて前記第１の帳票片に設けられた封着片に対応する位置に、他とは切り離して除去可能な第１の除去可能部が設けられ、前記封書式シートが三つ折りされたときに、前記第１の除去可能部を除去することによって露出される前記粘着層によって対向する前記封着片同士が接着されることを特徴とする。
【０００７】
請求項２の発明は、請求項１に記載の封書式シートであって、前記第１の帳票片と前記第２の帳票片とを仕切る折り線に沿って、前記フラップ部を切り取る第１のミシン目が設けられ、前記第１の帳票片および前記第３の帳票片における前記両側縁には、前記封着片を切り取る第２のミシン目が設けられていることを特徴とする。
【０００８】
請求項３の発明は、請求項１または請求項２に記載の封書式シートであって、前記フラップ部が前記第１の帳票片側の端縁の全幅に渡って設けられているとともに、前記封着片が前記両側縁の全幅に渡って設けられていることを特徴とする。
【０００９】
請求項４の発明は、請求項１〜請求項３のいずれかに記載の封書式シートであって、前記剥離シートにおいて前記第１の帳票片に対応する位置には、前記折り線側の端縁を残してほぼ全域を除去可能な第２の除去可能部が設けられ、前記第１の帳票片が前記折り線から山折りされたときに、前記第２の除去可能部を除去することによって露出される前記粘着層によって前記第１の帳票片と対向する前記第２の帳票片とがほぼ全面に渡って接着されることを特徴とする。
【発明の効果】
【００１０】
請求項１の発明によれば、封書を作成するには、まず、プリンタ等を使用して、宛先記載部および情報記載部に、受取人の宛先および記載内容を印刷する。次に、フラップ部を起こし、裏面側の粘着層を露出させる。そして、第３の帳票片を、折り線から谷折りし、第２の帳票片に重ね合わせる。この状態でフラップ部をたたみ、第３の帳票片の先端部に貼り合わせる。これにより、第２の帳票片および第３の帳票片が筒状に閉じられる。
次いで、剥離シートにおける第１の除去可能部を除去して、封着片の裏面側の粘着層を露出させる。そして、第２の帳票片を、折り線から山折りし、第１の帳票片に重ねる。このとき、露出された粘着層により、第３の帳票片の封着片が対向する第１の帳票片の封着片に貼り合わせられる。これにより、第２の帳票片と第３の帳票片とで形成される筒の両端が塞がれた状態となり、封書が完成する。
【００１１】
このようにして、宛名と所定の記載内容とを印刷した１枚のシートから、簡便に封書を組み立てることができるから、印刷物を封筒に詰めて宛名を書く等の煩雑な作業が不要となる。また、別途封筒を用意する必要がないため、コストを削減できる。
【００１２】
また、封書式シートは、印刷面（宛先記載部および情報記載部が形成されている側の面）の裏面側に粘着層およびこれを覆う剥離シートが設けられ、印刷後に封止のための粘着層を露出させる構成となっている。したがって、プリンタでの印刷時に紙詰まりが起こるといったことがなく、印刷を円滑に行うことができる。
【００１３】
請求項２の発明によれば、封書式シートには、フラップ部を切り取る第１のミシン目、および封着片を切り取る第２のミシン目が設けられている。このような構成によれば、封書を開封する際には、封着片を第２のミシン目から切り取るとともに、第２の帳票片と第３の帳票片とを筒状に止めているフラップ部を第１のミシン目から切り離せばよい。これにより、はさみ等を使用しなくとも、簡単に開封できる封書を提供できる。
【００１４】
請求項３の発明によれば、フラップ部が第１の帳票片側の端縁の全幅に渡って設けられているとともに、封着片が両側縁の全幅に渡って設けられており、シートを折り畳んで封書とする際に周縁部が全域に渡って封止される。
また、請求項４の発明によれば、剥離シートにおいて第１の帳票片に対応する位置のほぼ全域に第２の除去可能部が設けられ、第１の帳票片と第２の帳票片とがほぼ全面に渡って接着されることにより、封書に袋状の部分が二重に形成されないようにされている。
これらにより、郵送に適した封書を作成可能な封書式シートが提供される。
【発明を実施するための最良の形態】
【００１５】
以下、本発明の封書式シートを具体化した一実施形態について、図１〜図８を参照しつつ詳細に説明する。本実施形態の封書式シート１を表面側から見た図を図１に、裏面側から見た図を図２に示す。
【００１６】
封書式シート１は、表面側が印刷面とされたベースシート２と、このベースシート２の裏面側に設けられた粘着層３と、ベースシート２と同一形状に形成されてこの粘着層３に積層された剥離シート４とを備えて、全体として略長方形状に形成されている。剥離シート４は、裏面側（粘着層３との対向面側）に離型剤が塗布されることにより離型処理が施されており、粘着層３に対して剥離可能に貼り付けられている。
【００１７】
ベースシート２には、このベースシート２を長手方向に三等分する折り線５、６が設けられており、封書式シート１は、一方の折り線５に沿って山折り、もう一方の折り線６に沿って谷折りすることによってＺ字状に三つ折りされるようになっている。折り線５、６によって区分された３つの区画のうち、三つ折りされた時にベースシート２が表側に出る一区画は、第１の帳票片７とされている。ここには、受取人の住所、氏名等を記載する宛先記載部１４が設けられている。また、ベースシート２が向かい合わせとなって隠蔽される残りの二区画は、第１の帳票片７と連なる側から第２の帳票片８、および第３の帳票片９とされている。ここには、秘匿すべき内容を記載する情報記載部１５が設けられている。
【００１８】
第２の帳票片８には、折り線５よりもやや内側の位置に、折り線５と平行に形成されたベース側スリット線１０が全幅に渡って設けられている。これにより、ベース側スリット線１０と折り線５とに挟まれた部分が、第１の帳票片７と繋がった状態で剥離シート４から剥がされてフラップ部１１となる。このフラップ部１１は、後に詳しく述べるように、封書１８を作成する際に折り返された第３の帳票片９の端縁に接着されて、第２の帳票片８および第３の帳票片９を筒状に保持する役割を果たす。なお、折り線５は、フラップ部１１を切り離し可能なようにミシン目（本発明の第１のミシン目に該当する）とされている。
【００１９】
第１の帳票片７、および第３の帳票片９における左右の両側縁（折り線５、６側と交差する側の側縁）には、ベースシート２および剥離シート４を貫通するミシン目により形成された切り離し線１３（本発明の第２のミシン目に該当する）を介して、それぞれ外側に向かって張り出された一対の封着片１２が設けられている。封着片１２は、上記２つの帳票片７，９の両側縁の全幅に渡って設けられている。これにより、第１の帳票片７、および第３の帳票片９は、封着片１２の分だけ第２の帳票片８よりも幅広に形成され、三つ折りにした際に互いの封着片１２どうしが相対するようにされている。
【００２０】
第１の帳票片７における裏面側の剥離シート４には、折り線５よりもやや内側の位置に、剥離側スリット線１７が折り線５と平行に設けられている。これにより、剥離シート４は、第１の帳票片７、およびその両側縁に設けられた封着片１２の裏面側において折り線５側の端縁部を残して剥ぎ取り可能な除去可能部１６（本発明の第１の除去可能部と第２の除去可能部とを兼ねる）となっている。
【００２１】
次に、上記のように構成された本実施形態の封書式シート１を使用して封書を作製する手順について説明する。まず、プリンタ等（図示せず）を使用して、宛先記載部１４に受取人の住所・氏名等を印刷し、同時に、情報記載部１５に例えば納品書の内容を印刷する（図１）。
【００２２】
次に、フラップ部１１をベース側スリット線１０から起こし、裏面側の粘着層３を露出させる。そして、第３の帳票片９を、ベースシート２側から見て谷折り、すなわちベースシート２側が内側となるようにして折り線６から折り返し、第２の帳票片８に重ね合わせる（図３）。この状態で、フラップ部１１を第２の帳票片８に貼り付けて固定する。これにより、第２の帳票片８および第３の帳票片９が筒状に閉じられ、情報記載部１５の記載内容が視認不能となる（図４）。このとき、第３の帳票片９に設けられている封着片１２は、第２の帳票片８によって覆われず、側方に張り出した状態となっている。
【００２３】
次いで、この封書式シート１を裏返し、除去可能部１６を剥離側スリット線１７から剥ぎ取って、第１の帳票片７、およびその側縁に形成された封着片１２の裏面側の粘着層３を露出させる。そして、第２の帳票片８を、ベースシート２側から見て山折り、すなわち剥離シート４側が内側となるようにして折り線５から折り返し、第１の帳票片７に貼り合わせる（図５）。このとき、第１の帳票片７の裏面側はほぼ全面に渡って粘着層３が露出した状態となっているので、第１の帳票片７は第２の帳票片８にほぼ全面に渡って接着される。
【００２４】
また、第１の帳票片７は、封着片１２の分だけ第２の帳票片８よりも幅広に形成されているから、この部分の粘着層３が第２の帳票片８によって覆われず、第３の帳票片９の封着片１２と相対した状態となる。そして、この粘着層３により、第１の帳票片７および第３の帳票片９の対向する封着片１２どうしが接着される。これにより、第２の帳票片８と第３の帳票片９とで形成される筒の両端が封止される。
【００２５】
このようにして、表側に宛名が表記されるとともに、情報記載部１５に記載された内容を隠蔽した状態で投函可能な封書１８が完成する（図６）。
【００２６】
さて、この封書１８を受け取った受取人が記載内容を確認する場合には、まず、封着片１２を切り離し線１３に沿って切り取る（図７Ａ）。こうすると、第２の帳票片８と第３の帳票片９とで形成される筒の両端が開口した状態となる。次いで、第３の帳票片９に貼り付けられているフラップ部１１を折り線５に沿って切り離す（図７Ｂ）。これにより、第２の帳票片８と第３の帳票片９との接合部分が切り離され、情報記載部１５への記載内容が視認可能となる（図８）。
【００２７】
以上のように本実施形態によれば、宛名と所定の記載内容とを印刷した１枚の封書式シート１から、簡便に封書１８を組み立てることができるから、印刷物を封筒に詰めて宛名を書く等の煩雑な作業が不要となる。また、別途封筒を用意する必要がないため、コストを削減できる。
【００２８】
また、封書式シート１は、印刷面（宛先記載部１４および情報記載部１５が形成されている側の面）の裏面側に粘着層３および剥離シート４が設けられ、印刷後に封止のための粘着層３を露出させる構成となっている。したがって、プリンタでの印刷時に紙詰まりが起こるといったことがなく、印刷を円滑に行うことができる。
【００２９】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）上記実施形態には、納品書を郵送する例を示したが、本発明の封書式シートは、上記の例に限らず、各種料金のお知らせなど種々の通知用に使用できる。また、郵送する場合に限らず、例えば社内での従業員への各種の通知にも使用することができる。この場合には、宛先記載部に受取人の住所を記載する必要はなく、氏名や社員番号等、必要に応じて適切な情報を記載すれば良い。
（２）上記実施形態では、折り線５および切り離し線１３はミシン目とされていたが、本発明によれば特にミシン目を設ける必要はなく、開封の際にははさみ等を用いて封着部分を切り開く構成とされていても良い。
（３）上記実施形態では、剥離シート４において第１の帳票片７の裏面位置が折り線５の近傍を残して除去可能部１６とされ、第１の帳票片７のほぼ全面が対向する第２の帳票片８に接着されるが、封書１を郵便によって送らない場合には、折り線５側の端縁部を除く三周辺に沿って除去可能部１６が形成され、周縁部のみが接着される構成とされていても良い。
（４）本発明によれば、フラップ部１１および封着片１２が全幅に渡って設けられ、封書式シート１を折り畳んで封書１８とする際に周縁部が全域に渡って封止される構成とされていたが、本発明によれば必ずしも周縁部が全域に渡って封止される必要はなく、フラップ部および封着片が部分的に設けられる構成であっても良い。
【図面の簡単な説明】
【００３０】
【図１】本実施形態の封書式シートをベースシート側から見た平面図
【図２】本実施形態の封書式シートを剥離シート側から見た平面図
【図３】第３の帳票片を折り返す様子を示す斜視図
【図４】第２の帳票片および第３の帳票片が筒状とされた様子を示す斜視図
【図５】第１の帳票片を折り返す様子を示す斜視図
【図６】完成された封書を示す斜視図
【図７】封書を開封する様子を示す斜視図
【図８】開封後の封書を示す斜視図
【符号の説明】
【００３１】
１…封書式シート
２…ベースシート
３…粘着層
４…剥離シート
５…折り線（第１のミシン目）
６…折り線
７…第１の帳票片
８…第２の帳票片
９…第３の帳票片
１１…フラップ部
１２…封着片
１３…切り離し線（第２のミシン目）
１４…宛先記載部
１５…情報記載部
１６…除去可能部
【図１】
2005193574.tif 000003
【図２】
2005193574.tif 000004
【図３】
2005193574.tif 000005
【図４】
2005193574.tif 000006
【図５】
2005193574.tif 000007
【図６】
2005193574.tif 000008
【図７】
2005193574.tif 000009
【図８】
2005193574.tif 000010